(57)【要約】【課題】店舖情報を十分に信用できるものにすることができる店舖情報管理を提供する。【解決手段】飲食店の飲食店情報を管理するための店舗情報管理装置５であって、飲食店情報を記憶する店舖情報記憶部１２ａと、飲食店の飲食店側端末３に、飲食店を識別するための店舖用識別子を付与する店舗用識別子付与手段と、飲食店を利用した利用者の利用者側端末７は、飲食店側端末３から店舖用識別子を受信することにより店舖用識別子を取得しており、この店舗用識別子を利用者側端末７から受信することにより、店舖情報記憶部１２ａが記憶した飲食店情報を利用者側端末７に送信する店舗情報送信手段とを備えている。【選択図】　　　図１
2004127214.tif 000002
【特許請求の範囲】
【請求項１】
店舖の店舗情報を管理するための店舗情報管理装置であって、
前記店舗情報を記憶する店舗情報記憶部と、
前記店舖の店舗側端末に、前記店舖を識別するための店舗用識別子を付与する店舖用識別子付与手段と、
前記店舗を利用した利用者の利用者側端末は、前記店舗側端末から前記店舗用識別子を受信することにより前記店舗用識別子を取得しており、この店舗用識別子を前記利用者側端末から受信することにより、前記店舖情報記憶部が記憶した前記店舖情報を前記利用者側端末に送信する店舖情報送信手段と、
を備えていることを特徴とする店舗情報管理装置。
【請求項２】
前記利用者に前記店舖を紹介される被紹介者の被紹介者側端末は、前記利用者側端末から前記店舗用識別子を受信することにより前記店舗用識別子を取得しており、前記店舗情報送信手段は、前記被紹介者側端末から前記店舖用識別子を受信することにより、前記店舗情報記憶部が記憶した前記店舖情報を前記被紹介者側端末に送信することを特徴とする請求項１に記載の店舖情報管理装置。
【請求項３】
前記利用者から受信した前記店舗用識別子の受信回数を、店舗毎にカウントするカウント手段を備えていることを特徴とする請求項１または２に記載の店舖情報管理装置。
【請求項４】
前記利用者側端末からのアクセスにより、前記利用者が指定した条件に合致する店舗情報を、前記店舗情報記憶部から選択する選択手段を備え、前記店舗情報送信手段は、前記選択手段が選択した前記店舖情報を、前記利用者側端末に送信することを特徴とする請求項１乃至３のいずれかに記載の店舗情報管理装置。
【請求項５】
前記店舗情報を掲載した店舗用ホームページを記憶するホームページ記憶部と、前記ホームページ記憶部に記憶された前記店舖用ホームページを端末に表示させる表示手段とを備えていることを特徴とする請求項１乃至４のいずれかに記載の店舗情報管理装置。
【請求項６】
前記店舗情報送信手段は、前記店舗情報記憶部が記憶した前記店舗情報の管理を行わせるための管理プログラムを前記利用者側端末に送信することを特徴とする請求項１乃至５のいずれかに記載の店舗情報管理装置。
【請求項７】
請求項１に記載の店舗情報管理装置が通信ネットワークに接続されており、この通信ネットワークを介して、前記店舗側端末と前記利用者側端末とが接続可能であり、
前記店舗を利用した利用者の利用者側端末は、前記店舗側端末から前記店舖用識別子を受信することにより前記店舗用識別子を取得しており、前記店舖情報管理装置の前記店舗情報送信手段は、前記店舗用識別子を前記利用者側端末から受信することにより、前記店舖情報記憶部が記憶した前記店舖情報を前記利用者側端末に送信することを特徴とする店舗情報管理獲得システム。
【請求項８】
前記被紹介者側端末は、前記通信ネットワークを介して、前記店舗情報管理装置に接続可能であり、この前記被紹介者側端末は、前記利用者側端末から前記店舗用識別子を受信することにより前記店舗用識別子を取得しており、前記店舗情報送信手段は、前記被紹介者側端末から前記店舗用識別子を受信することにより、前記店舖情報記憶部が記憶した前記店舗情報を前記被紹介者側端末に送信することを特徴とする請求項７に記載の店舗情報管理システム。
【請求項９】
前記店舗情報管理装置は、前記利用者から受信した前記店舗用識別Ｐの受信回数を店舗毎にカウントするカウント手段を備えていることを特徴とする請求項７または８に記載の店舗情報管理システム。
【請求項１０】
店舗の店舗情報を管理するための店舗情報管理方法であって、
前記店舖情報を記憶する店舗情報記憶ステップと、
前記店舖の店舖側端末に、前記店舖を識別するための店舗用識別子を付与する店舖用識別子付与ステップと、
前記店舗を利用した利用者の利用者側端末が、前記店舗側端末から前記店舖用識別子を受信することにより前記店舗用識別子を取得する取得ステップと、
前記店舖用識別子を前記利用者側端末から受信することにより、前記店舗情報記憶部が記憶した前記店舗情報を前記利用者側端末に送信する店舖情報送信ステップと、
を備えていることを特徴とする店舗情報管理方法。
【請求項１１】
前記利用者に前記店舗を紹介される被紹介者の被紹介者側端末は、前記利用者側端末から前記店舗用識別子を受信することにより前記店舗用識別子を取得しており、前記店舗情報送信ステップでは、前記被紹介者側端末から前記店舗用識別子を受信することにより、前記店舗情報記憶部が記憶した前記店舗情報を前記被紹介者側端末に送信することを特徴とする請求項１０に記載の店舗情報管理方法。
【請求項１２】
前記利用者から受信した前記店舗用識別子の受信回数を店舗毎にカウントするカウントステップを備えていることを特徴とする請求項１０または１１に記載の店舗情報管理方法。
【請求項１３】
前記利用者側端末からのアクセスにより、前記利用者が指定した条件に合致する店舗情報を、前記店舗情報記憶部から選択する選択ステップを備え、前記店舗情報送信ステップでは、前記選択ステップにおいて選択された前記店舗情報を、前記利用者側端末に送信することを特徴とする請求項１０乃至１２のいずれかに記載の店舗情報管理方法。
【請求項１４】
前記店舖情報を掲載した店舖用ホームページを記憶するホームページ記憶ステップと、このポームページ記憶ステップで記憶された前記店舗用ホームページを端末に表示させる表示ステップとを備えていることを特徴とする請求項１０乃至１３のいずれかに記載の店舗情報管理方法。
【請求項１５】
前記店舖情報送信ステップでは、前記店舗情報記憶部が記憶した前記店舗情報の管理を行わせるための管理プログラムを前記利用者側端末に送信することを特徴とする請求項１０乃至１４のいずれかに記載の店舖情報管理装置。
【発明の詳細な説明】
【０００１】
【発明の属する技術分野】
本発明は、インターネットなどの通信ネットワークを利用した店舖情報管理装置、店舗情報管理システムおよび店舗情報管理方法に関する。
【０００２】
【従来の技術】
一般に、飲食店等の店舖の店舗情報（例えば、所在地、電話番号、料理の種類、料理の美味さ、店内の雰囲気、値段等）は、情報雑誌やその店舗が開設しているホームページ等に掲載されており、店舗に行こうとする利用者は、これら情報雑誌やホームページ等の情報により店舗を選んでいる。
【発明が解決しようとする課題】
しかしながら、情報雑誌や店舖が開設しているホームページ等に掲載されている情報は、利用者の知らない他人が載せた情報であるので、その情報が信用に足りるものなのかどうかが疑わしいことが多いという問題がある。このため、情報雑誌やホームページ等に店舖情報が掲載されていても、その店舖に行かないことも多くなってしまう。
【０００３】
本発明は、上記事情に鑑みて為されたもので、店舖情報を十分に信用できるものにすることができる店舗情報管理装置、店舗情報管理システムおよび店舖情報管理方法を提供することを目的とする。
【０００４】
【課題を解決するための手段】
上記目的を達成するために、請求項１に記載の発明は、店舗の店舗情報を管理するための店舗情報管理装置であって、前記店舗情報を記憶する店舗情報記憶部と、前記店舖の店舖側端末に、前記店舖を識別するための店舖用識別子を付与する店舖用識別子付与手段と、前記店舖を利用した利用者の利用者側端末は、前記店舗側端末から前記店舖用識別子を受信することにより前記店舗用識別子を取得しており、この店舗用識別子を前記利用者側端末から受信することにより、前記店舗情報記憶部が記憶した前記店舗情報を前記利用者側端末に送信する店舖情報送信手段と、を備えていることを特徴とする。
【０００５】
ここで、店舖とは、例えば、飲食店や、小売店等をいう。
また、店舖情報とは、その店舖の所在地、電話番号、メールアドレス、アクセス情報、その店舗の内装や外装の写真等の画像、商品や料理等の種類、商品の品質、料理の美味さ、店内の雰囲気、値段、サービス内容等をいう。
また、店舗用識別子とは、例えば、店舗情報管理装置が、その店舗を識別するために付与するパスワード、ＩＤ等をいう。
【０００６】
請求項１に記載の発明においては、店舗側端末から店舗情報管理装置に店舗情報が送信されることにより、あるいは店舗を取材した店舗情報管理装置の管理者等が店舗情報管理装置に店舗情報を入力することにより、店舖情報管理装置の店舗情報記憶部には、店舗情報が記憶されつつ蓄積され、これとともに、店舖用識別子付与手段がこの店舗の店舗用識別子を任意に設定して、この店舖用識別子を店舗側端末に送信する（店舗用識別子を店舗側端末に付与する）。
例えば、飲食店等の店舖に行った利用者が、その店舗の設備、内装、雰囲気や、サービスなどに好印象を持った場合には、店舖側端末から店舗用識別子を取得する（利用者側端末が店舗側端末から店舖用識別子を受信する）。
そして、次にこの店舗を利用する際には、上記店舗用識別子を、利用者側端末から店舖情報管理装置に送信する。これを受けた店舗情報管理装置の店舖情報送信手段は、店舗情報記憶部に記憶された店舗情報のうち、上記店舗用識別子に応じた店舗情報を、利用者側端末に送信することにより、利用者側端末にその店舖情報が表示される。
なお、利用者側端末が、店舗情報管理装置から受信した店舗情報は、利用者側端末の記憶部等に蓄積されるようにしても良く、この場合、利用者は、店舗に行く前等に、利用者側端末に蓄積された店舖情報を参考にするようにしても良い。
【０００７】
このように、利用者側端末には、その利用者が実際に見て好印象を持った店舖の店舗情報が表示されるので、その店舗情報を十分に信用できるものにすることができる。
また、店舗情報はデータとして、店舖情報記憶部や利用者側端末に蓄積されるので、従来のように、いわゆるショップカードを財布等に入れる必要が無く、ショップカードがかさばることがない。
また、店舗は、その店舖側端末から利用者側端末にその店舗の店舗用識別子を送信するだけで、店舖の宣伝を行えるので、広告費がかさむのを防止することが出来る。しかも、利用者がその店舗に好印象を持った場合には、その利用者が利用者側端末から、店舗情報を閲覧することにより、その店舗にまた行きたいという要求を持つことを期待でき、これによりリピーターの増加を期待できる。
【０００８】
請求項２に記載の発明は、請求項１に記載の発明において、前記利用者に前記店舖を紹介される被紹介者の被紹介者側端末は、前記利用者側端末から前記店舗用識別子を受信することにより前記店舖用識別子を取得しており、前記店舗情報送信手段は、前記被紹介者側端末から前記店舗用識別子を受信することにより、前記店舖情報記憶部が記憶した前記店舗情報を前記被紹介者側端末に送信することを特徴とする。
【０００９】
請求項２に記載の発明においては、請求項１に記載の発明と同様な作用効果を奏するとともに、利用者の友人や知人等の被紹介者は、店舗を実際に利用して好印象を持った利用者から店舖情報を得るので、情報雑誌やその店舖が開設しているホームページ等、利用者の知らない他人が載せた情報に比べて、その情報の信用度が高くなるため、被紹介者がその店舗を利用する可能性を高くすることができる。
また、利用者が、多くの被紹介者に店舖情報を得るための店舗用識別子を送信すると、いわゆる口コミのように、その店舗の情報が広がるため、新規顧客が増加することを期待できる。
【００１０】
請求項３に記載の発明は、請求項１または２に記載の発明において、前記利用者から受信した前記店舗用識別子の受信回数を店舖毎にカウントするカウント手段を備えていることを特徴とする。
【００１１】
請求項３に記載の発明においては、請求項１または２に記載の発明と同様な作用効果を奏するとともに、利用者から受信した店舗用識別子の受信回数を店舖毎にカウントするカウント手段を設けているので、どのくらいの利用者がその店舖を利用したのかを、明確に把握することができる。
【００１２】
請求項４に記載の発明は、請求項１乃至３のいずれかに記載の発明において、前記利用者側端末からのアクセスにより、前記利用者が指定した条件に合致する店舗情報を、前記店舗情報記憶部から選択する選択手段を備え、前記店舗情報送信手段は、前記選択手段が選択した前記店舗情報を、前記利用者側端末に送信することを特徴とする。
【００１３】
請求項４に記載の発明においては、請求項１乃至３のいずれかに記載の発明と同様な作用効果を奏するとともに、利用者は、店舗情報管理装置にアクセスして、例えば、場所、イベント、商品や料理等の種類等の条件を店舗情報管理装置に送信することにより、選択手段が、条件に合致する店舖情報を、店舖情報記憶部から選択し、店舗情報送信手段が、選択手段が選択した店舖情報（単数であっても複数であっても良い。）を、利用者側端末に送信する。
このように、選択手段を設けることにより、利用者が行きたい店舖を容易に検索することができ、店舗情報記憶部に記憶された店舗の新規顧客の開拓を容易に行うことができる。
なお、本明細書では、「アクセス」とは、ネットワークを通じて別の場所にあるコンピュータに接続することはもちろん、コンピュータ等の端末において、例えばハードディスクと記憶媒体との相互のデータ交換の意味をも含むものである。
【００１４】
請求項５に記載の発明は、請求項１乃至４のいずれかに記載の発明において、前記店舗情報を掲載した店舗用ホームページを記憶するホームページ記憶部と、前記ホームベージ記憶部に記憶された前記店舖用ホームページを端末に表示させる表示手段とを備えていることを特徴とする。
【００１５】
請求項５に記載の発明においては、請求項１乃至４のいずれかに記載の発明と同様な作用効果を奏するとともに、端末（利用者端末、被紹介者側端末等）に表示される店舗用ホームページには、例えば、その店舗の所在地、電話番号、メールアドレス、アクセス情報、その店舗の内装や外装の写真等の画像、商品や料理等の種類、商品の品質、料理の美味さ、店内の雰囲気、値段、サービス内容等の店舗情報が掲載されている。したがって、この店舗用ホームページを見るだけで、その店舖の店舖情報を容易に把握することができる。また、利用者等が、利用者側端末等に表示された店舗用ホームページを紙などに印刷（プリントアウト）すれば、その店舗のいわゆるショップカードを容易に作ることができる。
なお、ホームページとは電子掲示板も含むものであり、このような電子掲示板に、利用者、利用者の友人、知人、および店舗の従業員等から、その店舖に関するコメントを書き込んでもらう等、上記三者のコミュニケーションを図るようにしても良い。
【００１６】
請求項６に記載の発明は、請求項１乃至５のいずれかに記載の発明において、前記店舗情報送信手段は、記前記店舗情報記憶部が記憶した前記店舗情報の管理を行わせるための管理プログラムを前記利用者側端末に送信することを特徴とする。
【００１７】
請求項６に記載の発明においては、請求項１乃至５のいずれかに記載の発明と同様な作用効果を奏するとともに、店舗情報送信手段は、利用者側端末からの要求等に応じて、店舖情報を利用者側端末に記憶させたり、店舖情報を店舖の種類ごとに区分けしたり等を行う管理プログラム（例えば、ｉアプリ（商標）等）を送信（アップロード）する。この管理プログラムを受信（ダウンロード）した利用者側端末は、店舖情報を参照したいときに、上記管理プログラムを起動して、店舗情報管理装置から受信した店舗情報を利用者側端末に表示させたり、利用者側端末の記憶部等に記憶された店舗情報を利用者側端末に表示させたりする。
このように、店舗情報送信手段が、利用者側端末に管理プログラムを送信することにより、利用者側端末は、店舗情報の管理を容易に行うことができる。
【００１８】
請求項７に記載の発明は、請求項１に記載の店舗情報管理装置が通信ネットワークに接続されており、この通信ネットワークを介して、前記店舗側端末と前記利用者側端末とが接続可能であり、前記店舗を利用した利用者の利用者側端末は、前記店舗側端末から前記店舗用識別子を受信することにより前記店舗用識別子を取得しており、前記店舖情報管理装置の前記店舗情報送信手段は、前記店舖用識別子を前記利用者側端末から受信することにより、前記店舗情報記憶部が記憶した前記店舗情報を前記利用者側端末に送信することを特徴とする。
【００１９】
請求項７に記載の発明においては、店舖側端末から店舖情報管理装置に店舖情報が送信されることにより、あるいは店舖を取材した店舖情報管理装置の管理者等が店舖情報管理装置に店舗情報を入力することにより、店舗情報管理装置の店舗情報記憶部には、店舖情報が記憶されつつ蓄積され、これとともに、店舖用識別子付与手段がこの店舗の店舖用識別子を任意に設定して、この店舖用識別子を店舗側端末に送信する（店舖用識別子を店舖側端末に付与する）。
例えば、飲食店等の店舗に行った利用者が、その店舗の設備、内装、雰囲気や、サービスなどに好印象を持った場合には、店舗側端末から店舗用識別子を取得する（利用者側端末が店舗側端末から店舗用識別子を受信する）。
そして、次にこの店舖を利用する際には、上記店舗用識別子を、利用者側端末から店舗情報管理装置に送信する。これを受けた店舖情報管理装置の店舖情報送信手段は、店舖情報記憶部に記憶された店舖情報のうち、上記店舗用識別子に応じた店舗情報を、利用者側端末に送信することにより、利用者側端末にその店舖情報が表示される。
なお、利用者側端末が、店舗情報管理装置から受信した店舗情報は、利用者側端末の記憶部等に蓄積されるようにしても良く、この場合、利用者は、店舗に行く前等に、利用者側端末に蓄積された店舗情報を参考にするようにしても良い。
【００２０】
このように、利用者側端末には、その利用者が実際に見て好印象を持った店舗の店舗情報が表示されるので、その店舗情報を十分に信用できるものにすることができる。
また、店舖情報はデータとして、店舗情報記憶部や利用者側端末に蓄積されるので、従来のように、いわゆるショップカードを財布等に入れる必要が無く、ショップカードがかさばることがない。
また、店舗は、その店舗側端末から利用者側端末にその店舗の店舗用識別子を送信するだけで、店舗の宣伝を行えるので、広告費がかさむのを防止することが出来る。しかも、利用者がその店舗に好印象を持った場合には、その利用者が利用者側端末から、店舖情報を閲覧することにより、その店舖にまた行きたいという要求を持つことを期待でき、これによりリピーターの増加を期待できる。
【００２１】
請求項８に記載の発明は、請求項７に記載の発明において、前記被紹介者側端末は、前記通信ネットワークを介して、前記店舖情報管理装置に接続可能であり、この前記被紹介者側端末は、前記利用者側端末から前記店舖用識別子を受信することにより前記店舗用識別子を取得しており、前記店舗情報送信手段は、前記被紹介者側端末から前記店舗用識別子を受信することにより、前記店舗情報記憶部が記憶した前記店舖情報を前記被紹介者側端末に送信することを特徴とする。
【００２２】
請求項８に記載の発明においては、請求項７に記載の発明と同様な作用効果を奏するとともに、利用者の友人や知人等の被紹介者は、店舗を実際に利用して好印象を持った利用者から店舗情報を得るので、情報雑誌やその店舗が開設しているホームページ等、利用者の知らない他人が載せた情報に比べて、その情報の信用度が高くなるため、紹介者がその店舗を利用する可能性が高くなる。
また、利用者が、多くの被紹介者に店舗情報を得るための店舗用識別子を送信すると、いわゆる口コミのように、その店舗の情報が広がるため、新規顧客が増加することを期待できる。
【００２３】
請求項９に記載の発明は、請求項７または８に記載の発明において、前記店舗情報管理装置は、前記利用者から受信した前記店舗用識別子の受信回数を店舖毎にカウントするカウント手段を備えていることを特徴とする。
【００２４】
請求項９に記載の発明においては、請求項７または８に記載の発明と同様な作用効果を奏するとともに、利用者から受信した店舗用識別子の受信回数を店舗毎にカウントするカウント手段を設けているので、どのくらいの利用者がその店舖を利用したのかを、明確に把握することができる。
【００２５】
請求項１０の記載の発明は、店舗の店舗情報を管理するための店舗情報管理方法であって、前記店舗情報を記憶する店舗情報記憶ステップと、前記店舖の店舗側端末に、前記店舖を識別するための店舗用識別子を付与する店舖用識別子付与ステップと、前記店舖を利用した利用者の利用者側端末が、前記店舗側端末から前記店舗用識別子を受信することにより前記店舗用識別子を取得する取得ステップと、前記店舗用識別子を前記利用者側端末から受信することにより、前記店舗情報記憶部が記憶した前記店舖情報を前記利用者側端末に送信する店舖情報送信ステップと、を備えていることを特徴とする。
【００２６】
請求項１０に記載の発明においては、店舗情報記憶ステップでは、店舗側端末から店舖情報管理装置に店舖情報が送信されることにより、あるいは店舖を取材した店舗情報管理装置の管理者等が店舗情報管理装置に店舗情報を入力することにより、店舗情報が記憶されつつ蓄積される。
次いで、店舗用識別子付与ステップでは、この店舖の店舗用識別子を任意に設定して、この店舖用識別子を店舗側端末に送信して、店舖用識別子を店舗側端末に付与する。
次いで、取得ステップでは、例えば、飲食店等の店舗に行った利用者が、その店舗の設備、内装、雰囲気や、サービスなどに好印象を持った場合には、店舗側端末から店舖用識別子を取得する。
そして、店舖情報送信ステップでは、上記利用者が次にこの店舗を利用する際には、上記店舗用識別子を利用者側端末から店舗情報管理装置に送信することにより、店舗情報記憶ステップで記憶された店舗情報のうち、上記店舖用識別子に応じた店舗情報を利用者側端末に送信する。これにより、利用者側端末にその店舗情報が表示される。
なお、店舖情報送信ステップにおいて、利用者側端末が受信した店舖情報は、利用者側端末の記憶部等に蓄積されるようにしても良く、この場合、利用者は、店舗に行く前等に、利用者側端末に蓄積された店舖情報を参考にするようにしても良い。
【００２７】
このように、利用者側端末には、その利用者が実際に見て好印象を持った店舗の店舖情報が表示されるので、その店舗情報を十分に信用できるものにすることができる。
また、店舖情報はデータとして蓄積されるので、従来のように、いわゆるショップカードを財布等に入れる必要が無く、ショップカードがかさばることがない。
また、店舗は、その店舖側端末から利用者側端末にその店舖の店舗用識別子を送信するだけで、店舖の宣伝を行えるので、広告費がかさむのを防止することが出来る。しかも、利用者がその店舗に好印象を持った場合には、その利用者が利用者側端末から、店舗情報を閲覧することにより、その店舗にまた行きたいという要求を持つことを期待でき、これによりリピーターの増加を期待できる。
【００２８】
請求項１１に記載の発明は、請求項１０に記載の発明において、前記利用者に前記店舗を紹介される被紹介者の被紹介者側端末は、前記利用者側端末から前記店舗用識別子を受信することにより前記店舗用識別子を取得しており、前記店舖情報送信ステップでは、前記被紹介者側端末から前記店舖用識別子を受信することにより、前記店舖情報記憶部が記憶した前記店舖情報を前記被紹介者側端末に送信することを特徴とする。
【００２９】
請求項１１に記載の発明においては、請求項１０に記載の発明と同様な作用効果を奏するとともに、利用者の友人や知人等の被紹介者は、店舖を実際に利用して好印象を持った利用者から店舗情報を得るので、情報雑誌やその店舖が開設しているホームページ等、利用者の知らない他人が載せた情報に比べて、その情報の信用度が高くなるため、紹介者がその店舖を利用する可能性が高くなる。
また、利用者が、多くの被紹介者に店舗情報を得るための店舗用識別子を送信すると、いわゆる口コミのように、その店舖の情報が広がるため、新規顧客が増加することを期待できる。
【００３０】
請求項１２に記載の発明は、請求項１０または１１に記載の発明において、前記利用者から受信した前記店舗用識別子の受信回数を店舗毎にカウントするカウントステップを備えていることを特徴とする。
【００３１】
請求項１２に記載の発明においては、請求項１０または１１に記載の発明と同様な作用効果を奏するとともに、利用者から受信した店舖用識別子の受信回数を店舗毎にカウントするカウントステップを備えているので、どのくらいの利用者がその店舖を利用したのかを、明確に把握することができる。
【００３２】
請求項１３に記載の発明は、請求項１０乃至１２に記載の発明において、前記利用者側端末からのアクセスにより、前記利用者が指定した条件に合致する店舖情報を、前記店舗情報記憶部から選択する選択ステップを備え、前記店舖情報送信ステップでは、前記選択ステップにおいて選択された前記店舗情報を、前記利用者側端末に送信することを特徴とする。
【００３３】
請求項１３に記載の発明においては、請求項１０乃至１２のいずれかに記載の発明と同様な作用効果を奏するとともに、利用者は、店舗情報管理装置にアクセスして、例えば、場所、イベント、商品や料理等の種類等の条件を店舖情報管理装置に送信することにより、選択ステップで、条件に合致する店舗情報を、店舗情報記憶部から選択し、店舗情報送信ステップで、選択手段が選択した店舖情報（単数であっても複数であっても良い。）を、利用者側端末に送信する。
このように、選択ステップを備えていることにより、利用者が行きたい店舗を容易に検索することができ、店舖情報記憶部に記憶された店舖の新規顧客の開拓を容易に行うことができる。
【００３４】
請求項１４に記載の発明は、請求項１０乃至１３のいずれかに記載の発明において、前記店舗情報を掲載した店舗用ホームページを記憶するホームページ記憶ステップと、このホームページ記憶ステップで記憶された前記店舗用ホームページを端末に表示させる表示ステップとを備えていることを特徴とする。
【００３５】
請求項１４に記載の発明においては、請求項１０乃至１３のいずれかに記載の発明と同様な作用効果を奏するとともに、端末（利用者端末、被紹介者側端末等）に表示される店舗用ホームページには、例えば、その店舖の所在地、電話番号、メールアドレス、アクセス情報、その店舖の内装や外装の写真等の画像、商品や料理等の種類、商品の品質、料理の美味さ、店内の雰囲気、値段、サービス内容等の店舖情報が掲載されている。したがって、この店舗用ホームページを見るだけで、その店舗の店舗情報を容易に把握することができる。また、利用者等が、利用者側端末等に表示された店舗用ホームページを紙などに印刷（プリントアウト）すれば、その店舗のいわゆるショップカードを容易に作ることが可能となる。
なお、ホームページとは電子掲示板も含むものであり、このような電子掲示板に、利用者、利用者の友人、知人、および店舗の従業員等から、その店舖に関するコメントを書き込んでもらう等、上記三者のコミュニケーションを図るようにしても良い。
【００３６】
請求項１５に記載の発明は、請求項１０乃至１４のいずれかに記載の発明において、前記店舗情報送信ステップでは、記前記店舖情報記憶部が記憶した前記店舗情報の管理を行わせるための管理プログラムを前記利用者側端末に送信することを特徴とする。
【００３７】
請求項１５に記載の発明においては、請求項１０乃至１４のいずれかに記載の発明と同様な作用効果を奏するとともに、店舖情報送信ステップでは、利用者側端末からの要求等に応じて、店舗情報を利用者側端末に記憶させたり、店舗情報を店舗の種類ごとに区分けしたり等を行う管理プログラム（例えば、ｉアプリ（商標）等）を送信（アップロード）する。この管理プログラムを受信（ダウンロード）した利用者側端末は、店舗情報を参照したいときに、上記管理プログラムを起動することにより、利用者側端末に店舗情報を表示させる。
このように、店舗情報送信ステップで、利用者側端末に管理プログラムを送信することにより、利用者側端末は、店舗情報の管理を容易に行うことができる。
【００３８】
【発明の実施の形態】
以下、添付した図面を参照しながら、本発明の実施の形態を説明する。
図１乃至図６は、本発明の第１実施の形態を示している。
図１に示すように、店舗情報管理システム１は、飲食店（店舗）の飲食店側端末（店舗側端末）３と、飲食店等の店舗の店舗情報を管理する情報提供会社等の管理者の店舗情報管理装置５と、飲食店を利用する利用者の利用者側端末７と、この利用者に飲食店を紹介される被紹介者の被紹介者側端末９とを備えており、飲食店側端末３と利用者および被紹介者側端末７、９とがインターネット（通信ネットワーク）Ｎを介して店舗情報管理装置５に接続可能となっている。
なお、図１においては、図示を省略しているが、利用者の友人、知人等の他の端末もインターネットＮを介して店舗情報管理装置５に接続可能となっている。また、図１においては、１台の飲食店側端末３、２台の利用者側端末７、９および１台の出席者側端末９が接続された場合を示しているが、これらの台数は特に限定されない。
【００３９】
この店舖情報管理装置５は、図２に示すように、ＷＷＷ（Ｗｏｒｌｄ　Ｗｉｄｅ　Ｗｅｂ）サーバーとしての機能を有し、ＣＰＵ（Ｃｅｎｔｒａｌ　Ｐｒｏｃｅｓｓｉｎｇ　Ｕｎｉｔ）１０と、ＲＡＭ（Ｒａｎｄｏｍ　Ａｃｃｅｓｓ　Ｍｅｍｏｒｙ）１１と、記録装置１２と、通信装置１３と等で構成され、これらはバス１５やインターフェイスを介して接続される。また、店舗情報管理装置５は、通信装置１３を介してインターネットＮと接続される。
なお、店舗情報管理装置５は、図示は省略するが、キーボード・マウス等の入力装置、ＣＲＴ等の表示装置、プリンタ等を備えている。
【００４０】
ＣＰＵ１０は、記録装置１２に格納されているプログラムや通信装置１３を介してインターネットＮから受信するデータをＲＡＭ１１に格納し、この記録データに応じて記録装置１２内に格納したアプリケーションプログラムに従って各種処理を実行し、その処理結果をＲＡＭ１１に一時的に格納するとともに、処理結果を通信装置１３を介して各端末３，７，９に送信する。
【００４１】
ＲＡＭ１１は、ＣＰＵ１０が記録装置１２に格納されたプログラムを実行する際に各種データを展開するプログラム格納領域を形成するとともに、ＣＰＵ１０が実行する処理に関わるデータを一時的に記憶する記憶領域、入力指示と入力データとによって処理される作業領域を形成する。
【００４２】
記録装置１２は、プログラムやデータ等を記憶するハードディスク装置であり、この記録装置１２には、店舗情報記憶部１２ａと、ホームページ記憶部１２ｂと、プログラム情報記憶部１２ｃとが設けられている。
【００４３】
店舗情報記憶部１２ａは、飲食店側端末３から受信した飲食店情報（店舗情報）のデータを記憶するものである。この飲食店情報のデータとしては、例えば、店名、所在地、電話番号、メールアドレス、アクセス情報、その飲食店の内装や外装の写真等の画像、料理や飲み物等の種類、店内の雰囲気、値段、サービス内容、客に対するコメント、およびこの飲食店での料金の割引率等のデータである。
この料金の割引率は、例えば、飲食店での利用客が多い時期や時間帯には低い割引率（例えば、５％程度の割引率）、利用客が少ない時期や時間帯には高い割引率（例えば、２０％以上の割引率）といったように、飲食店の稼動状況に応じた割引率である。なお、この飲食店に関するデータは、飲食店側端末３がアクセスすることにより変更可能となっている。
【００４４】
ホームページ記憶部１２ｂは、飲食店に関する情報を掲載した店舗用ホームページを作成するためのＨＴＭＬテンプレート（フォーム）と、このＨＴＭＬテンプレートにより作成された店舖用ホームページとを記憶するものである。
【００４５】
この店舗用ホームページは、例えば、図示しない飲食店内の写真、メニュー一覧、および電子掲示板等によって構成されており、飲食店に関する情報が掲載されている。なお、この店舗用ホームページは、店舗情報管理装置５にインターネットＮを介して接続された飲食店側端末３からの入力により、変更可能にするようにしても良い。
上記電子掲示板には、投稿者の名前、電子メールアドレス、題名、メッセージを書き込む記入欄が設けられており、この電子掲示板に、利用者、利用者の友人知人等および飲食店の従業員等からのメッセージを書き込むことにより、これらの三者のコミュニケーションを行うようになっている。
【００４６】
なお、電子掲示板においては、不適切な内容の書き込みがなされる場合があり、この書き込みに対処するために、店舖情報管理装置５には、不適切な内容の文言（例えば、不味い、汚い等）を記憶する図示しない文言記憶部が設けられ、この文言記憶部が記憶した文言が電子掲示板に書き込まれた場合には、後述する削除手段により自動的にその文言、あるいはその文言のある書き込みを削除するようになっている。
【００４７】
プログラム情報記憶部１２ｃは、本発明の店舗情報管理装置５における各種処理を行うためのプログラムコードが記憶されている。
具体的には、プログラム情報記憶部１２ｃには、利用者側端末７に、飲食店情報の管理を行わせるための管理プログラムであるｉアプリ（これについては後述する）をアップロードするためのアップロードプログラムが記憶されており、このアップロードプログラムは、ＣＰＵ１０によってＲＡＭ１１に展開されて実行される。このアップロードを行わせるためのアップロード手段は、ＣＰＵ１０、ＲＡＭ１１、通信装置１３、選択プログラム等によって構成されている。
【００４８】
また、プログラム情報記憶部１２ｃには、飲食店側端末３に、その飲食店を識別するためのパスワードやＩＤ等の店舗用識別子を付与する識別子付与プログラムが記憶されており、この識別子付与プログラムはＣＰＵ１０によってＲＡＭ１１に展開されて実行される。したがって、店舗用識別子付与手段は、ＣＰＵ１０、ＲＡＭ１１、識別子付与プログラム等によって構成されている。
【００４９】
また、プログラム情報記憶部１２ｃには、利用者側端末７から受信した店舗用識別子の受信回数を店舗毎にカウントするためのカウントプログラムが記憶されており、このカウントプログラムはＣＰＵ１０によってＲＡＭ１１に展開されて実行される。したがって、カウント手段は、ＣＰＵ１０、ＲＡＭ１１、識別子付与プログラム等によって構成されている。
【００５０】
また、プログラム情報記憶部１２ｃには、飲食店で飲食を行う際の料金の割引率を設定する設定プログラムが記憶されており、この設定プログラムはＣＰＵ１０によってＲＡＭ１１に展開されて実行される。したがって、設定手段は、ＣＰＵ１０、ＲＡＭ１１、設定プログラム等によって構成されている。
この設定手段は、飲食店の稼動状況等に応じて、料理およびサービス等の料金の割引率を設定する。例えば、設定手段は、店舗の利用者数が多い時期や時間帯等には、割引率を低く設定（例えば、５％程度の割引率）し、店舖の利用者数が少ない時期や時間帯には、割引率を高く設定（例えば、２０％以上の割引率）する。
【００５１】
また、プログラム情報記憶部１２ｃには、飲食店での料金を所定の割引率で割り引く特典を与える旨を利用者および被紹介者側端末７、９に通知する通知プログラムが記憶されており、この通知プログラムはＣＰＵ１０によってＲＡＭ１１に展開されて実行される。したがって、通知手段は、ＣＰＵ１０、ＲＡＭ１１、通信装置、通知プログラム等によって構成されている。
【００５２】
また、プログラム情報記憶部１２ｃには、利用者側端末７、被紹介者側端末９に、店舖情報記憶部１２ａが記憶した飲食店情報を送信する店舖情報送信プログラムが記憶されており、この店舗情報送信プログラムはＣＰＵ１０によってＲＡＭ１１に展開されて実行される。したがって、店舗情報送信手段は、ＣＰＵ１０、ＲＡＭ１１、通信装置１３、店舗情報送信プログラム等によって構成されている。
【００５３】
また、プログラム情報記憶部１２ｃには、利用者側端末７、被紹介者側端末９に、店舖情報記憶部１２ａが記憶した飲食店情報、およびホームページ記憶部１２ｂに記憶されたホームページおよび上記店舗情報を表示する表示プログラムが記憶されており、この表示プログラムはＣＰＵ１０によってＲＡＭ１１に展開されて実行される。したがって、表示手段は、ＣＰＵ１０、ＲＡＭ１１、通信装置１３、表示プログラム等によって構成されている。
【００５４】
また、プログラム情報記憶部１２ｃには、ホームページ記憶部１２ｂに記憶されたホームページを、ＣＤ−Ｒに記録する記録プログラムが記憶されており、この記録プログラムは、ＣＰＵ１０によってＲＡＭ１１に展開されて実行される。したがって、記録手段は、ＣＰＵ１０、ＲＡＭ１１、記録プログラム等によって構成されている。
【００５５】
また、プログラム情報記憶部１２ｃには、文言記憶部に記憶された文言が掲示板に書き込まれた場合に、その文言、あるいはその文言のある書き込みを削除する削除プログラムが記憶されており、この削除プログラムは、ＣＰＵ１０によってＲＡＭ１１に展開されて実行される。したがって、削除手段は、ＣＰＵ１０、ＲＡＭ１１、削除プログラム等によって構成されている。
【００５６】
通信装置１３は、モデム（ＭＯＤＥＭ：ＭＯｄｕｌａｔｏｒ／ＤＥＭｏｄｕｌａｔｏｒ）、ターミナルアダプタ（ＴＡ：Ｔｅｒｍｉｎａｌ　Ａｄａｐｔｅｒ）、あるいはルータ等によって構成され、電話回線、ＩＳＤＮ回線、あるいは専用回線等の通信回線を介して利用者側端末７や被紹介者側端末９との間で情報や情報取得請求の信号の送受信を行う。
【００５７】
次に、飲食店側端末３について説明する。この飲食店側端末３は、インターネットＮに接続可能なパーソナルコンピュータであり、その要部構成は、ＣＰＵと、ＲＡＭと、記録装置と、表示装置と、通信装置と、入力・操作部とからなり、それぞれバスや各種インターフェイスを介して接続される。
【００５８】
ＣＰＵは記録装置であるハードディスク装置に格納されているプログラムや入力された投稿内容をＲＡＭに一時的に格納し、この処理結果を表示装置に表示される処理を行うようになっている。ＲＡＭは、ＣＰＵがハードディスク装置に格納されたプログラムを実行する際に各種データを展開するプログラム格納領域を形成するとともに、ＣＰＵが実行する処理に関わるデータを一時的に記憶する記憶領域、入力指示と入力データとによって処理される作業領域等を形成するものである。
【００５９】
記録装置は、プログラムやデータ等が記憶されたハードディスク装置であり、プログラム情報記憶部を備えている。プログラム情報記憶部には、店舖情報管理装置５にアクセスして、飲食店情報を店舗情報管理装置５の店舖情報記憶部１２ｂに送信する処理を実行させるための必要なプログラムコード等を記憶している。
【００６０】
表示装置は、例えば、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）等により構成され、ＣＰＵの表示制御に従い、入力画面や選択画面を表示するものである。
【００６１】
通信装置は、無線電話回線や一般電話回線に接続可能でありかつ通信可能な機能を有している、モデム（ＭＯＤＥＭ：Ｍｏｄｕｌａｔｏｒ／ＤＥＭｏｄｕｌａｔｏｒ）で構成されている。この通信装置を介して飲食店情報のデータを店舗情報管理装置５の飲食店情報記憶部１２ａに送信するようになっている。
なお、通信装置は、店舖情報管理装置５との通信のために専用に設置された回線などの電気的に接続された回線（無線も含む）、あるいはＩＣチップを利用したもの、光や磁気等を利用したものを通じて行うものであっても良い。
また、入力・操作部はキーボード、テンキー、マウス、タッチペン等のポインティングデバイス等である。
【００６２】
次に、利用者および被紹介者側端末７、９について説明する。これらの利用者側端末７、９は、本実施の形態では、パケット交換による移動体通信に適用可能な携帯電話機であって、例えば、ｉモード（商標）対応機が挙げられる。この場合には、通信ネットワークに設けたサーバを介することにより、ｉアプリ（商標）によるＨＴＴＰ（Ｈｙｐｅｒｔｅｘｔ　Ｔｒａｎｓｆｅｒ　Ｐｒｏｔｏｃｏｌ）通信を行うとともに、インターネット上のＷＥＢサーバを通じて利用者側端末７をシステムサーバと接続させている。なお、ｉアプリは、米国のＳｕｎ　Ｍｉｃｒｏｓｙｓｔｅｍｓ社が開発したＪ２ＭＥ（Ｊａｖａ２　ｐｌａｔｆｏｒｍ，Ｍｉｃｒｏ　Ｅｄｊｔｉｏｎ）　ＣＬＤＣ（Ｃｏｎｎｅｃｔｅｄ　Ｌｉｍｉｔｅｄ　Ｄｅｖｉｃｅ　Ｃｏｎｆｉｇｕｒａｔｉｏｎ）と、ＤｏＣｏＭｏ社が開発したｉモード拡張ライブラリ（ｉモード対応Ｊａｖａプロファイル）とで構成され、ＤｏＣｏＭｏ社製のｉモード対応機（５０３シリーズ以降）で動作するＪａｖａプログラムをいう。
また、利用者側端末７、９の要部構成は、ＣＰＵと、ＲＡＭと、記録装置と、表示装置と、通信装置と、入力・操作部とから構成されている。
【００６３】
ＣＰＵは記録装置に格納されているプログラムや入力された投稿内容をＲＡＭに一時的に格納し、この処理結果を表示装置に表示される処理を行うようになっている。ＲＡＭは、ＣＰＵが記録装置に格納されたプログラムを実行する際に各種データを展開するプログラム格納領域を形成するとともに、ＣＰＵが実行する処理に関わるデータを一時的に記憶する記憶領域、入力指示と入力データとによって処理される作業領域等を形成するものである。
【００６４】
記録装置は、プログラムやデータ等が記憶されたものであり、プログラム情報記憶部を備えている。プログラム情報記憶部は、店舗情報管理装置５にアクセスして、この店舖情報管理装置５の店舗情報記憶部１２ａに記憶された飲食店情報のデータを受信する処理、店舗情報管理装置５に上述したＨＴＭＬテンプレートを受信する処理、および上記ＨＴＭＬテンプレートを基に作成されたホームページを店舗情報管理装置５から受信する処理等を実行させるための必要なプログラムコード等を記憶している。
【００６５】
表示装置は、ＣＰＵの表示制御に従い、図３乃至図５に示すような各種入力画面や選択画面を表示する。
通信装置は、無線電話回線や一般電話回線等に接続可能でありかつ通信可能な機能を有している。なお、通信装置は、店舗情報管理装置５との通信のために専用に設置された回線などの電気的に接続された回線（無線も含む）を通じて行うものでも良い。
また、入力・操作部は、携帯電話機のテンキー等である。
【００６６】
次に、上述した構成の店舗情報管理システム１の処理を説明する。図６は、利用者（ユーザ）と、飲食店（店舗）と、店舗情報管理装置５を運営する情報提供会社等（管理者）との処理の流れを示す図である。
まず、図６に示すように、飲食店等の店舗の店舗情報を管理する管理者は、利用者（ユーザ）からの要望により、店舗情報管理装置５から利用者側端末７に、飲食店情報を管理するための管理プログラムであるｉアプリを配信（アップロード）する（ステップＳ１）。これにより、利用者側端末７にｉアプリがダウンロードされる（ステップＳ２）。なお、図６においては、管理者を「ＭＳＣ」としている。
【００６７】
詳しくは、図３（ａ）に示すように、利用者は、利用者側端末７を操作して、利用者側端末７にｉモードメニューを表示させ、このｉモードメニューからインターネットを選択し、図３（ｂ）に示すように、表示されたインターネットのメニューからＵＲＬ入力を選択し、図３（ｃ）に示すように、管理者のホームページアドレスを入力して、接続ボタンを押す。すると、利用者側端末７には、図３（ｄ）および（ｅ）に示すように、管理者のホームページが表示され、表示されたメニュー一覧から、ｉアプリダウンロードを選択して、ｉアプリをダウンロードする。そして、図３（ｆ）および（ｇ）に示すように、ダウンロードしたソフトを実行して、ダウンロードしたソフトを起動する。これにより、図３（ｈ）に示すように、利用者側端末７に、飲食店情報であるマイショップカード（ＭＳＣ）のメニュー一覧が表示される。
なお、店舗情報管理装置５の管理者は、このｉアプリを有料にて配信するようにしても良い。
【００６８】
また、飲食店（店舗）においては、この飲食店の飲食店情報となるマイショップカード（ＭＳＣ）の作成を、管理者に依頼し（ステップＳ３）、飲食店側端末３から店舖情報管理装置５に、飲食店情報を送信する。店舖情報管理装置５は、上記飲食店情報を受信すると、この飲食店情報を店舗情報記憶部１２ａに格納し（店舖情報記憶ステップ）、これに基づいてマイショップカードを作成し（ステップＳ４）、作成したマイショップカードを店舗情報記憶部１２ａおよびホームページ記憶部１２ｂに記憶させる（ステップＳ５）。
なお、上記管理者が、依頼を受けた店舗を取材することにより、店舖用管理装置５の店舖情報記憶部１２ａに飲食店情報を入力するとともに、この飲食店情報に基づいて管理者が作成したマイショップカードのデータを店舗情報記憶部１２ａおよびホームページ記憶部１２ｂに入力するようにしても良い。また、店舗情報管理装置５の管理者は、このマイショップカードを有料にて作成するようにしても良い。
【００６９】
また、上記飲食店情報に料金の割引率が含まれていた場合には、設定手段が、その割引率を設定する（設定ステップ）。すなわち、設定手段は、上述したように、飲食店での利用客が多い時期や時間帯には低い割引率（例えば、５％程度の割引率）、利用客が少ない時期や時間帯には高い割引率（例えば、２０％以上の割引率）といったように、飲食店の稼動状況に応じた割引率を設定する。
また、店舖情報管理装置５は、飲食店側端末３に、任意に設定した店舗用識別子（アクセス権）およびこの飲食店の飲食店情報を掲載したホームページアドレス（ＵＲＬ）を送信する（店舗用識別子付与ステップ）。
【００７０】
そして、上記飲食店を利用し、この飲食店に好印象を持った利用者は、利用者側端末７に、飲食店側端末３からこの飲食店の店舗用識別子およびホームページアドレスを受信させる（ステップＳ６乃至ステップＳ８（取得ステップ））。なお、本実施の形態では、飲食店用端末３から利用者側端末７への上記店舗用識別子およびホームページアドレスの送信は、例えば、赤外線、ＩＣチップ、および磁気等の非接触型のものを利用したワンタッチ送信により行われる。
【００７１】
詳しくは、上記ワンタッチ送信により、図４（ａ）に示すように、利用者側端末７には、ダウンロードしたソフト（ｉアプリ）が自動的に起動し、図４（ｂ）に示すように、登録確認の画面が表示され、「はい」を選択する。すると、図４（ｃ）に示すように、レストラン、カフェ、バー等のカテゴリーを選択する画面が表示され、このカテゴリーのうちから一つを選択することにより、このカテゴリー内に飲食店情報が追加され、図４（ｄ）に示すように、登録完了画面が表示される。
【００７２】
次いで、利用者が、利用者側端末７を操作して、上記店舗用識別子を店舖情報管理装置５に送信すると、これを受信した店舗情報管理装置５は、店舖情報記憶部１２ａに記憶された飲食店情報のうち、店舖用識別子に対応したマイショップカード（飲食店情報）のファイルを、利用者側端末７に送信し（ステップＳ９およびステップＳ１０（店舗情報送信ステップ））、これにより上記飲食店のマイショップカードのデータが、利用者側端末７に格納され蓄積される。このとき、この受信したデータ（ファイル）の振り分けおよび管理が行われる（ステップＳ１１）。
なお、利用者は、利用者側端末７を操作して、管理者のホームページにアクセスしたり、あるいは店舖情報管理装置５に直接アクセスすることにより、上記マイショップカードのデータを得るようにしても良い。この場合には、店舗情報管理装置５のホームページ記憶部１２ｂや店舗情報記憶部１２ａを介して、表示手段により利用者側端末７に上記マイショップカードが表示される。
【００７３】
すなわち、利用者が利用者側端末７を操作して、店舗情報管理装置５に接続すると、図４（ｅ）および（ｆ）に示すように、利用者側端末７に、マイショップカードのメニュー一覧が表示され、このメニュー一覧から、マイショップリストを選択し、カテゴリーからＣａｆｅを選択すると、図４（ｇ）に示すように、登録したマイショップカードの一覧が表示される（ステップＳ１２）。
【００７４】
このうち、例えば、Ｃａｆｅ○○（飲食店名）を選択すると、図５（ａ）に示すように、Ｃａｆｅ○○のショップカードの表紙が表示される。この表示は、数秒で自動的に図５（ｂ）に示すメニュー画面に切り替わり、このメニュー一覧から任意の項目を選択することにより、Ｃａｆｅ○○の各種情報を閲覧することができる。
すなわち、店内写真の項目を選択すると、図５（ｃ）に示すように、Ｃａｆｅ○○の店内の写真が表示され、お勧めメニューの項目を選択すると、図５（ｄ）に示すように、お勧めメニューの写真の一覧が表示される。また、予算の項目を選択すると、図５（ｅ）に示すように、時間帯に応じたメニューおよび予算が表示され、地図の項目を選択すると、図５（ｆ）に示すように、Ｃａｆｅ○○の地図が表示され、コメントの項目を選択すると、図５（ｇ）に示すように、Ｃａｆｅ○○に対する利用者のコメント（例えば、この料理が特に美味しかった等）を記入するための記入欄が表示される。
また、図示していないが、上記メニュー一覧には特典情報の項目も用意されており、この項目を選択すると、例えば、料金の割引等の特典情報が表示される。本実施の形態では、飲食店の稼動状況に応じて設定手段が設定した割引率が表示されるようになっている。
【００７５】
また、利用者が利用者側端末７を操作して、利用者の友人等の被紹介者側端末９に、蓄積した飲食店情報のうち紹介したい飲食店の店舖用識別子およびＵＲＬを、例えば、赤外線送信等により送信する（ステップＳ１３）ことにより、その被紹介者側端末９も、上記ステップＳ８、Ｓ１１およびＳ１２と同様な処理を行うことができるようになる。なお、この場合、上記ステップＳ２におけるｉアプリを、被紹介者側端末９にダウンロードする必要があることは言うまでもない。
【００７６】
一方、店舖情報管理装置５においては、カウント手段が、利用者および被紹介者側端末７、９から受信した店舖用識別子の受信回数を店舖毎にカウントしており（カウントステップ）、例えば、Ｃａｆｅ○○は受信回数３０回、Ｃａｆｅ××は受信回数１０回といったように、カウントした受信回数を店舗毎に管理する（ステップＳ１４）。そして、管理者は、この受信回数に応じた料金を、例えば、広告費あるいは利用費等として、飲食店に請求する（ステップＳ１５およびＳ１６）。
なお、この請求は、インターネットを介して請求したり、あるいは請求書などを郵送により発行したりしても良く、請求の方法は特に限定されない。また、料金の振込みは、いわゆるネットバンキングにより振り込むようにしても良いし、管理者が指定した銀行口座に飲食店が直接振り込むようにしても良く、その料金の支払方法は特に限定されない。
【００７７】
このように、上記店舗情報管理システム１では、利用者側端末７には、その利用者が実際に見て好印象を持った飲食店の飲食店情報情報のみが表示されるので、その飲食店情報を十分に信用できるものにすることができる。また、飲食店情報はデータとして、店舗情報管理装置５の店舗情報記憶部１２ａや利用者側端末７に蓄積されるので、従来のように、いわゆるショップカードを財布等に入れる必要が無く、ショップカードがかさばることがない。
【００７８】
また、飲食店においては、その飲食店側端末３から利用者側端末７にその飲食店の店舖用識別子を送信するだけで、自らの店の宣伝を行えるので、広告費がかさむのを防止することが出来る。しかも、利用者がその飲食店に好印象を持った場合には、その利用者が利用者側端末７から、飲食店情報を閲覧することにより、その飲食店にまた行きたいという要求を持つことを期待でき、これによりリピーターの増加を期待できる。
【００７９】
また、利用者の友人や知人等の被紹介者は、上記飲食店を実際に利用して好印象を持った利用者から飲食店情報を得るので、情報雑誌やその店舖が開設しているホームページ等、利用者の知らない他人が載せた情報に比べて、その情報の信用度が高くなるため、被紹介者がその飲食店を利用する可能性が高くなる。
【００８０】
また、利用者が、多くの被紹介者に飲食店情報を得るための店舗用識別子を送信すると、いわゆる口コミのように、その飲食店の情報が広がるため、新規顧客の増加を期待することができる。
【００８１】
利用者から受信した店舗用識別子の受信回数を店舗毎にカウントするカウント手段を設けているので、どのくらいの利用者がその店舗を利用したのかを、明確に把握することができる。
【００８２】
また、利用者側端末７に、例えば、料金の割引といった特典情報を送信することにより、どの飲食店に行くか迷っている利用者に、その飲食店に行くという要求を起こさせることを期待でき、その飲食店の利用者数がさらに増加することを期待できる。しかも、設定手段を設けているので、飲食店の稼動状態等に応じて割引率を調整することができ、飲食店の稼動状況に応じた適切な割引率を設定することができる。
【００８３】
次に、本発明の第２実施の形態を説明するが、その説明にあたり、上述と同様な部分には同一の符号を付してその説明を簡略化または省略する。
図７は、第２実施の形態に係る店舖情報管理システムの処理の流れを示す図である。本実施の形態では店舖情報管理システムは、上記第１実施の形態と同様であり、その処理の流れが異なっている。図７に示すように、飲食店等の店舖の飲食店情報を管理する情報提供会社等は、利用者（ユーザ）からの要望により、その利用者用の個人ＨＰ（店舗用ホームページ）を作成し、このＨＰをホームページ記憶部１２ｂに格納するとともに、このＨＰのアドレス（ＵＬＲ）を利用者側端末７に送信する（ステップＳ２０およびステップＳ２１）。なお、管理者は、このＨＰを有料にて作成するようにしても良い。
【００８４】
また、飲食店においては、この飲食店の飲食店情報となるマイショップカードの作成を、管理者に依頼する（ステップＳ３）ことにより、店舖情報管理装置５は、飲食店側端末３からの飲食店情報に基づいてマイショップカードを作成し（ステップＳ４）、作成したマイショップカードを店舖情報記憶部１２ａおよびホームページ記憶部１２ｂに記憶させる。なお、管理者は、このマイショップカードを有料にて作成するようにしても良い。
【００８５】
そして上記ステップＳ６乃至ステップＳ８と同様に、上記飲食店を利用し、この飲食店に好印象を持った利用者の利用者側端末７は、飲食店側端末３からこの飲食店の店舗用識別子およびホームページアドレスを受信する（ステップＳ６乃至ステップＳ８）。
【００８６】
次いで、利用者は、利用者側端末７を操作して、店舗情報管理装置５のホームページ記憶部１２ｂにアクセスする。これにより、店舗情報管理装置５の表示手段は、利用者側端末７からの店舗用識別子に応じた飲食店情報を、上記個人ＨＰに表示する（ステップＳ２２（表示ステップ））。
すなわち、店舖情報管理装置５は、利用者側端末７からの要求により、ホームページ記憶部１２ｂに記憶された店舗用ホームページを、店舗情報管理装置５にインターネットＮを介して接続された利用者側端末７に表示可能にする。これにより、店舖情報管理装置５にインターネットＮを介して接続された利用者側端末７や被紹介者側端末９の表示装置に、上記個人ＨＰや電子掲示板等が表示されるようになる。
利用者は、この個人ＨＰに掲載された飲食店情報を、個人ＨＰの飲食店リストに新たに追加する（ステップＳ２３）。
なお、利用者および被紹介者側端末７、９に表示される個人ＨＰには、例えば、その飲食店の所在地、電話番号、メールアドレス、アクセス情報、その飲食店の内装や外装の写真等の画像、料理等の種類、料理の美味さ、店内の雰囲気、値段、サービス内容等の飲食店情報が掲載されていることは言うまでもない。したがって、利用者は、この個人ＨＰを見るだけで、その飲食店の飲食店情報を容易に把握することができる。また、利用者等が、利用者側端末７に表示された個人ＨＰホームページを紙などに印刷（プリントアウト）すれば、その飲食店のいわゆるショップカードを容易に作ることができる。
【００８７】
このようにして、上記個人ＨＰには、飲食店情報が蓄積されていき、利用者が利用者側端末７を操作することにより、その飲食店リストが利用者側端末７に表示される。このリストから任意の飲食店を選択することにより、その飲食店に関する情報を閲覧できるようになる（ステップＳ２４）。また、上記飲食店リストのうち、被紹介者に紹介したい飲食店の店舗用識別子を、被紹介者用端末９に送信することにより（ステップＳ１３）、その被紹介者側端末９も、上記ステップＳ８、Ｓ２３およびＳ２４と同様な処理を行うことができるようになる。
【００８８】
一方、店舖情報管理装置５においては、そのカウント手段が、利用者および被紹介者側端末７、９から受信した店舖用識別子の受信回数を店舗毎にカウントしている（ステップＳ１４）。そして、管理者は、この受信回数に応じた料金を、例えば、広告費あるいは利用費等として、飲食店に請求する（ステップＳ１５およびＳ１６）。
【００８９】
次に、本発明の第３実施の形態を説明するが、その説明にあたり、上述と同様な部分には同一の符号を付してその説明を簡略化する。
図８は、第３実施の形態に係る店舗情報管理システムの処理の流れを示す図である。図８に示すように、飲食店においては、この飲食店の飲食店情報となるマイショップカードの作成を、管理者に依頼する（ステップＳ３）ことにより、店舗情報管理装置５は、飲食店側端末３からの飲食店情報に基づいてマイショップカードを作成し（ステップＳ４）、作成したマイショップカードを店舖情報記憶部１２ａおよびホームページ記憶部１２ｂに記憶させる。
なお、本実施の形態においても、上記管理者が、依頼を受けた店舗を取材することにより、店舗用管理装置５の店舗情報記憶部１２ａに飲食店情報を入力するとともに、この飲食店情報に基づいて管理者が作成したマイショップカードのデータを店舗情報記憶部１２ａおよびホームページ記憶部１２ｂに入力するようにしても良い。
【００９０】
そして、店舖情報管理装置５は、店舗情報記憶部１２ａおよびホームページ記憶部１２ｂに記憶させたマイショップカードのデータを、飲食店側端末３にアップロード（ＡＬ）する（ステップＳ３０）。すなわち、飲食店側端末３は、店舖情報管理装置５からマイショップカードのデータをダウンロード（ＤＬ）する。これにより、飲食店側端末３のメモリに、上記マイショップカードのデータが記憶される（ステップＳ３１）。
【００９１】
また、上記飲食店を利用し、この飲食店に好印象を持った利用者は、利用者側端末７に、飲食店側端末３からこの飲食側端末３のメモリに記憶されたマイショップカードを受信する（ステップＳ６、ステップＳ３２およびステップＳ３３）。利用者は、利用者側端末７を手動により操作して、受信したマイショップカードをメモリ内の任意のフォルダ等に格納し蓄積する（ステップＳ３４）。
したがって、利用者が利用者側端末７を操作することにより、この利用者側端末７に、閲覧したい飲食店のマイショップカードを表示する（ステップＳ１２）。また、蓄積したマイショップカードのうち、被紹介者に紹介したい飲食店のマイショップカードのデータを、被紹介者用端末９に送信することにより（ステップＳ１３）、その被紹介者側端末９も、上記ステップＳ１２と同様な処理を行うことができるようになる。
【００９２】
一方、店舗情報管理装置５においては、マイショップカードの作成料を飲食店側端末３にメール等により請求することにより、飲食店は、店舗情報管理装置５の管理者に上記料金を支払う（ステップＳ３５およびステップＳ３６）。
【００９３】
本発明は、上述した実施の形態に限定されず、その要旨を逸脱しない範囲内において種々の変形が可能である。
例えば、上記実施の形態では、利用者に対する特典として、料金の割引を例にとって説明したが、これに限定されず、例えば、来店プレゼントの進呈等の特典であっても良い。
この来店プレゼントとしては、例えば、ホームページ記憶部１２ｂに、飲食店に来店した恋人達の写真等を掲載した店舖用ホームページを記憶させておき、この店舗用ホームページを、例えば、ＣＤ−Ｒ（ＣＤ　Ｒｅｃｏｒｄａｂｌｅ）、ＣＤ−ＲＯＭ（Ｃｏｍｐａｃｔ　Ｄｉｓｃ　Ｒｅａｄ　Ｏｎｌｙ　Ｍｅｍｏｒｙ）等コンピュータ読み取り可能な記録媒体に記録して、飲食店の従業員等が、店舖を利用した恋人達等に記念として贈呈するようにしても良い。なお、上記記録媒体は、店舗情報管理装置５の管理者により、ラベルを添付する等の加工がなされた後に、飲食店を介して利用者に発送するようにしても良い。
ここで、この記録媒体へのホームページの記録は、飲食店からの要望で、店舖情報管理装置５に設けられた記録手段により行われる。すなわち、プログラム情報記憶部１２ｃには、ホームページ記憶部１２ｂに記憶された店舖用ホームページを記録媒体に記録させる記録プログラムが記憶されており、この記録プログラムは、ＣＰＵ１０によってＲＡＭ１１に展開されて実行される。この記録を行わせるための記録手段は、ＣＰＵ１０、ＲＡＭ１１、通信装置１３、記録プログラム等によって構成されている。
このように、店舗用ホームページを記録媒体に記録する記録手段を設けると、その店舗を利用した思い出等を記録媒体に残すことができる。また、恋人達等に対し、上記飲食店を利用すれば、その思い出等を記録媒体に残せるというアピールができるので、利用者の関心を強く引き付けることが期待でき、さらに多くの利用者を獲得することが期待できる。
【００９４】
また、店舗情報管理装置５に、利用者側端末７からのアクセスにより、利用者が指定した条件に合致する飲食店情報を、店舖情報記憶部１２ａから選択する選択手段を設けても良い。この場合には、店舖情報送信手段が、上記選択手段が選択した飲食店情報を、利用者側端末７に送信する。
すなわち、利用者は、店舗情報管理装置５にアクセスして、例えば、場所、イベント、料理の種類等の条件を店舗情報管理装置５に送信することにより、選択手段が、条件に合致する飲食店情報を、店舖情報記憶部１２ａから選択し、店舗情報送信手段が、選択手段が選択した単数または複数の飲食店情報を、利用者側端末７に送信する。
このように、選択手段を設けることにより、利用者が行きたい飲食店を容易に検索することができ、店舗情報記憶部１２ａに記憶された飲食店の新規顧客の開拓を容易に行うことができる。
【００９５】
また、上記各実施の形態では、店舖として、飲食店を例にとって説明したが、これに限定されず、例えば、雑貨屋等の小売店等であっても良い。
【００９６】
また、上記各実施の形態では、利用者および被紹介者側端末として、携帯電話機を例にとったが、これに限定されず、例えば、パーソナルコンピュータ等であっても良い。
【００９７】
また、上記各実施の形態では、通信ネットワークとしては、インターネットＮを用いているが、これに限らず、特定の端末を連結するためのＬＡＮ（Ｌｏｃａｌ　Ａｒｅａ　Ｎｅｔｗｏｒｋ）またはＷＡＮ（Ｗｉｄｅ　Ａｒｅａ　Ｎｅｔｗｏｒｋ）のような閉鎖型のネットワークであっても良い。また、インターネットの他、イントラネット（Ｉｎｔｒａｎｅｔ）としても良い。
【００９８】
また、本発明は、上述した店舗情報管理方法をコンピュータによって実行させるためのプログラム、およびこのプログラムを記録したコンピュータ読み取り可能な記録媒体にも適用することができる。
この記録媒体としては、上述したハードディスク装置１２のハードディスクの他、ＣＤ−ＲＯＭやＭＯ等の可搬型の媒体や、半導体メモリ等のＣＰＵで読み取り可能な媒体を含む。
【００９９】
【発明の効果】
以上説明したように、請求項１に記載の発明によれば、利用者側端末には、その利用者が実際に見て好印象を持った店舖の店舗情報が表示されるので、その店舗情報を十分に信用できるものにすることができる。
また、店舗情報はデータとして、店舖情報記憶部や利用者側端末に蓄積されるので、従来のように、いわゆるショップカードを財布等に入れる必要が無く、ショップカードがかさばることがない。
また、店舗は、その店舗側端末から利用者側端末にその店舗の店舗用識別子を送信するだけで、店舗の宣伝を行えるので、広告費がかさむのを防止することが出来る。しかも、利用者がその店舗に好印象を持った場合には、その利用者が利用者側端末から、店舗情報を閲覧することにより、その店舗にまた行きたいという要求を持つことを期待でき、これによりリピーターの増加を期待できる。
【０１００】
請求項２に記載の発明によれば、請求項１に記載の発明と同様な効果を奏するとともに、利用者の友人や知人等の被紹介者は、店舗を実際に利用して好印象を持った利用者から店舖情報を得るので、情報雑誌やその店舗が開設しているホームページ等、利用者の知らない他人が載せた情報に比べて、その情報の信用度が高くなるため、被紹介者がその店舗を利用する可能性を高くすることができる。
また、利用者が、多くの被紹介者に店舗情報を得るための店舗用識別子を送信すると、いわゆる口コミのように、その店舗の情報が広がるため、新規顧客が増加することを期待できる。
【０１０１】
請求項３に記載の発明によれば、請求項１または２に記載の発明と同様な効果を奏するとともに、利用者から受信した店舖用識別子の受信回数を店舖毎にカウントするカウント手段を設けているので、どのくらいの利用者がその店舗を利用したのかを、明確に把握することができる。
【０１０２】
請求項４に記載の発明によれば、請求項１乃至３のいずれかに記載の発明と同様な効果を奏するとともに、選択手段を設けることにより、利用者が行きたい店舗を容易に検索することができ、店舖情報記憶部に記憶された店舗の新規顧客の開拓を容易に行うことができる。
【０１０３】
請求項５に記載の発明によれば、請求項１乃至４のいずれかに記載の発明と同様な効果を奏するとともに、店舖用ホームページを見るだけで、その店舖の店舖情報を容易に把握することができる。また、利用者等が、利用者側端末等に表示された店舗用ホームページを紙などに印刷すれば、その店舗のいわゆるショップカードを容易に作ることができる。
【０１０４】
請求項６に記載の発明によれば、請求項１乃至５のいずれかに記載の発明と同様な効果を奏するとともに、店舗情報送信手段が、利用者側端末に管理プログラムを送信することにより、利用者側端末は、店舗情報の管理を容易に行うことができる。
【０１０５】
請求項７に記載の発明によれば、利用者側端末には、その利用者が実際に見て好印象を持った店舗の店舗情報が表示されるので、その店舖情報を十分に信用できるものにすることができる。
また、店舗情報はデータとして、店舗情報記憶部や利用者側端末に蓄積されるので、従来のように、いわゆるショップカードを財布等に入れる必要が無く、ショップカードがかさばることがない。
また、店舗は、その店舗側端末から利用者側端末にその店舖の店舗用識別子を送信するだけで、店舖の宣伝を行えるので、広告費がかさむのを防止することが出来る。しかも、利用者がその店舖に好印象を持った場合には、その利用者が利用者側端末から、店舖情報を閲覧することにより、その店舖にまた行きたいという要求を持つことを期待でき、これによりリピーターの増加を期待できる。
【０１０６】
請求項８に記載の発明によれば、請求項７に記載の発明と同様な効果を奏するとともに、利用者の友人や知人等の被紹介者は、店舗を実際に利用して好印象を持った利用者から店舗情報を得るので、情報雑誌やその店舗が開設しているホームページ等、利用者の知らない他人が載せた情報に比べて、その情報の信用度が高くなるため、被紹介者がその店舗を利用する可能性を高くすることができる。
また、利用者が、多くの被紹介者に店舗情報を得るための店舗用識別子を送信すると、いわゆる口コミのように、その店舗の情報が広がるため、新規顧客が増加することを期待できる。
【０１０７】
請求項９に記載の発明によれば、請求項７または８に記載の発明と同様な効果を奏するとともに、利用者から受信した店舗用識別子の受信回数を店舗毎にカウントするカウント手段を設けているので、どのくらいの利用者がその店舗を利用したのかを、明確に把握することができる。
【０１０８】
請求項１０に記載の発明によれば、利用者側端末には、その利用者が実際に見て好印象を持った店舗の店舖情報が表示されるので、その店舗情報を十分に信用できるものにすることができる。
また、店舖情報はデータとして蓄積されるので、従来のように、いわゆるショップカードを財布等に入れる必要が無く、ショップカードがかさばることがない。
また、店舗は、その店舗側端末から利用者側端末にその店舗の店舖用識別子を送信するだけで、店舗の宣伝を行えるので、広告費がかさむのを防止することが出来る。しかも、利用者がその店舗に好印象を持った場合には、その利用者が利用者側端末から、店舗情報を閲覧することにより、その店舖にまた行きたいという要求を持つことを期待でき、これによりリピーターの増加を期待できる。
【０１０９】
請求項１１に記載の発明によれば、請求項１０に記載の発明と同様な効果を奏するとともに、利用者の友人や知人等の被紹介者は、店舗を実際に利用して好印象を持った利用者から店舖情報を得るので、情報雑誌やその店舗が開設しているホームページ等、利用者の知らない他人が載せた情報に比べて、その情報の信用度が高くなるため、被紹介者がその店舗を利用する可能性を高くすることができる。
また、利用者が、多くの被紹介者に店舗情報を得るための店舗用識別子を送信すると、いわゆる口コミのように、その店舗の情報が広がるため、新規顧客が増加することを期待できる。
【０１１０】
請求項１２に記載の発明によれば、請求項１０または１１に記載の発明と同様な効果を奏するとともに、利用者から受信した店舗用識別子の受信回数を店舗毎にカウントするカウント手段を設けているので、どのくらいの利用者がその店舗を利用したのかを、明確に把握することができる。
【０１１１】
請求項１３に記載の発明によれば、請求項１０乃至１２のいずれかに記載の発明と同様な効果を奏するとともに、選択ステップを設けることにより、利用者が行きたい店舗を容易に検索することができ、店舗情報記憶部に記憶された店舗の新規顧客の開拓を容易に行うことができる。
【０１１２】
請求項１４に記載の発明によれば、請求項１０乃至１３のいずれかに記載の発明と同様な効果を奏するとともに、店舖用ホームページを見るだけで、その店舗の店舖情報を容易に把握することができる。また、利用者等が、利用者側端末等に表示された店舖用ホームページを紙などに印刷すれば、その店舖のいわゆるショップカードを容易に作ることができる。
【０１１３】
請求項１５に記載の発明によれば、請求項１０乃至１４のいずれかに記載の発明と同様な効果を奏するとともに、店舗情報送信ステップで、利用者側端末に管理プログラムを送信することにより、利用者側端末は、店舗情報の管理を容易に行うことができる。
【図面の簡単な説明】
【図１】本発明の第１実施の形態に係る店舖情報管理システムを示す図である。
【図２】同、店舗情報管理装置のブロック図である。
【図３】利用者側端末に表示される画面を示す図である。
【図４】利用者側端末に表示される画面を示す図である。
【図５】利用者側端末に表示される画面を示す図である。
【図６】図１の店舖情報管理システムの処理の流れを示す図である。
【図７】第２実施の形態に係る店舖情報管理システムの処理の流れを示す図である。
【図８】第３実施の形態に係る店舗情報管理システムの処理の流れを示す図である。
【符号の説明】
１　　　店舗情報管理システム
３　　　飲食店側端末（店舖側端末）
５　　　店舗情報管理装置
７　　　利用者側端末
９　　　被紹介者側端末
１０　　ＣＰＵ（店舗用識別子付与手段、店舗情報送信手段、カウント手段、選択手段、表示手段）
１１　　ＲＡＭ（店舗用識別子付与手段、店舗情報送信手段、カウント手段、選択手段、表示手段）
１２　　記録装置（記憶手段）
１２ａ　店舗情報記憶部
１２ｂ　ホームページ記憶部
１２ｃ　プログラム情報記憶部（店舖用識別子付与手段、、店舖情報送信手段、カウント手段、選択手段、表示手段）
Ｎ　　　インターネット（通信ネットワーク）
【図１】
2004127214.tif 000003
【図２】
2004127214.tif 000004
【図３】
2004127214.tif 000005
【図４】
2004127214.tif 000006
【図５】
2004127214.tif 000007
【図６】
2004127214.tif 000008
【図７】
2004127214.tif 000009
【図８】
2004127214.tif 000010